(57)【要約】【課題】ラダー抵抗の抵抗値を切り替えるためのスイッチとしてアナログスイッチを使用することによる問題を支障なく解消する。【解決手段】第１のステップ幅で減衰量が可変な第１の減衰を付与する第１のボリューム回路１２と、第２のステップ幅で減衰量が可変な第２の減衰を付与する第２のボリューム回路１４とを備え、第１のボリューム回路は第１のラダー抵抗１２１と、第１のラダー抵抗の抵抗値を切り替えて第１の減衰を付与するための第１のスイッチ群１２２とを備え、第２のボリューム回路は第２のラダー抵抗１４１と、第２のラダー抵抗の抵抗値を切り替えて第２の減衰を付与するための第２のスイッチ群１４２とを備え、第２のボリューム回路は第１のボリューム回路よりも装置の出力側に設けられたボリューム装置において、第１のスイッチ群をメカニカルスイッチにより構成する。【選択図】図１
2010212907.tif 000002
【特許請求の範囲】
【請求項１】
第１のステップ幅で減衰量が可変な第１の減衰を付与する第１のボリューム回路と、
第２のステップ幅で減衰量が可変な第２の減衰を付与する第２のボリューム回路とを備え、
前記第１のボリューム回路は第１のラダー抵抗と、該第１のラダー抵抗の抵抗値を切り替えて前記第１の減衰を付与するための第１のスイッチ群とを備え、
前記第２のボリューム回路は第２のラダー抵抗と、該第２のラダー抵抗の抵抗値を切り替えて前記第２の減衰を付与するための第２のスイッチ群とを備え、
前記第２のボリューム回路は前記第１のボリューム回路よりも装置の出力側に設けられており、
前記第１のスイッチ群はメカニカルスイッチにより構成されていることを特徴とするボリューム装置。
【請求項２】
前記第２のステップ幅は前記第１のステップ幅よりも小さく、前記第１のステップ幅を補完するものであり、
前記第２のスイッチ群はアナログスイッチにより構成されていることを特徴とする請求項１に記載のボリューム装置。
【請求項３】
前記第１のステップ幅は前記第２のステップ幅よりも小さく、前記第２のステップ幅を補完するものであることを特徴とする請求項１に記載のボリューム装置。
【請求項４】
前記第２のスイッチ群のうち、所定値よりも小さな減衰量を付与するためのスイッチはメカニカルスイッチであり、他のスイッチはアナログスイッチであることを特徴とする請求項３に記載のボリューム装置。
【発明の詳細な説明】
【技術分野】
【０００１】
本発明は、ラダー抵抗の抵抗値を切り替えることにより所定のステップ幅で減衰量が可変なボリューム装置に関する。
【背景技術】
【０００２】
従来、電子ボリュームにおいては、特許文献１や特許文献２において述べられているように、ラダー抵抗の抵抗値を、ＩＣ（集積回路）などで構成したアナログスイッチで切り替えることによって、所要の減衰量を得るようにしている。
【０００３】
図３はこのような従来の電子ボリュームの一例を示す回路図である。同図に示すようにこの電子ボリュームは、入力端子３１に接続された前段ボリューム回路３２、出力端子３３に接続された後段ボリューム回路３４、並びに前段ボリューム回路３２及び後段ボリューム回路３４間に設けられたバッファアンプ３５を備える。
【０００４】
前段ボリューム回路３２は、入力端子３１及びグラウンド間に接続されたラダー抵抗３２１、並びにラダー抵抗３２１及びバッファアンプ３５間に設けられた前段スイッチ群３２２を備える。ラダー抵抗３２１は直列に接続された９つの抵抗Ｒ１０１〜Ｒ１０９により構成される。抵抗Ｒ１０１側が入力端子３１に接続され、抵抗Ｒ１０９側がグラウンドに接続される。前段スイッチ群３２２は、９つのスイッチＳ１０１〜Ｓ１０９により構成される。各スイッチＳ１０１〜Ｓ１０９の一端はそれぞれ、抵抗Ｒ１０１〜Ｒ１０９の入力端子３１側に接続される。他端はいずれも、バッファアンプ３５の入力端子に接続される。各スイッチＳ１０１〜Ｓ１０９を単独でオン状態とすることにより、それぞれ０［ｄＢ］、−１０［ｄＢ］、・・・、−８０［ｄＢ］の減衰量を入力音声信号に対して付与することができる。つまり前段ボリューム回路３２は、１０［ｄＢ］のステップ幅で減衰量が可変な減衰を与えることができるようになっている。
【０００５】
後段ボリューム回路３４は、バッファアンプ３５の出力端子及びグラウンド間に接続されたラダー抵抗３４１、並びにラダー抵抗３４１及び出力端子３３間に設けられた後段スイッチ群３４２を備える。ラダー抵抗３４１は、直列に接続された１０個の抵抗Ｒ２０１〜Ｒ２１０により構成される。抵抗Ｒ２０１側がバッファアンプ３５の出力端子に接続され、抵抗Ｒ２１０側がグラウンドに接続される。後段スイッチ群３４２は１０個のスイッチＳ２０１〜Ｓ２１０により構成される。各スイッチＳ２０１〜Ｓ２１０の一端はそれぞれ各抵抗Ｒ２０１〜Ｒ２１０のバッファアンプ３５側に接続される。他端はいずれも出力端子３３に接続される。各スイッチＳ２０１〜Ｓ２１０を単独でオン状態とすることにより、それぞれ０［ｄＢ］、−１［ｄＢ］、・・・、−９［ｄＢ］の減衰量をバッファアンプ３５の出力信号に対して付与することができる。つまり後段ボリューム回路３４は、バッファアンプ３５の出力に対し、１［ｄＢ］のステップ幅で減衰量が可変な減衰を与えることができるようになっている。
【０００６】
したがって、この電子ボリュームによれば、前段スイッチ群３２２及び後段スイッチ群３４２を適切に制御することにより、前段ボリューム回路３２及び後段ボリューム回路３４の組合せによって、０［ｄＢ］から−８９［ｄＢ］まで、１［ｄＢ］のステップ幅で減衰量が可変な減衰を入力音声信号に対して付与することができる。
【０００７】
図４は従来例に係る別の電子ボリュームの構成を示す回路図である。同図に示すようにこの電子ボリュームは、入力端子４１に接続された前段ボリューム回路４２、並びに前段ボリューム回路４２及び出力端子４３間に接続された後段ボリューム回路４４を備える。
【０００８】
前段ボリューム回路４２は、入力端子４１及び後段ボリューム回路４４間に接続されたラダー抵抗４２１、及びラダー抵抗４２１による抵抗値を選択するための前段スイッチ群４２２を備える。ラダー抵抗４２１は入力端子４１に近いほうから抵抗Ｒ３０１〜Ｒ３０３の３つの抵抗を直列に接続して構成される。前段スイッチ群４２２は、各抵抗Ｒ３０１〜Ｒ３０３の入力端子４１側及び後段ボリューム回路４４間にそれぞれ接続された３つのスイッチＳ３０１〜Ｓ３０３により構成される。スイッチＳ３０１〜Ｓ３０３をそれぞれ単独でオン状態とすることにより、それぞれ０［ｄＢ］、−１［ｄＢ］、−２［ｄＢ］の減衰量を入力音声信号に対して付与することができる。つまり、前段ボリューム回路４２は、１［ｄＢ］のステップ幅で減衰量が可変な減衰を与えることができるようになっている。
【０００９】
後段ボリューム回路４４は、前段ボリューム回路４２の出力側及びグラウンド間に接続されたラダー抵抗４４１、並びにラダー抵抗４４１及び出力端子４３間に設けられた後段スイッチ群４４２を備える。ラダー抵抗４４１は抵抗Ｒ４０１〜Ｒ４２８の２８個の抵抗を直列に接続して構成される。抵抗Ｒ４０１側が前段ボリューム回路４２に接続され、抵抗Ｒ４２８側がグラウンドに接続される。各スイッチＳ４０１〜Ｓ４２８の一端はそれぞれ各抵抗Ｒ４０１〜Ｒ４２８の前段ボリューム回路４２側に接続される。他端はいずれも出力端子４３に接続される。スイッチＳ４０１〜Ｓ４２８をそれぞれ単独でオン状態とすることにより、それぞれ０［ｄＢ］、−３［ｄＢ］、・・・、−８０［ｄＢ］の減衰量を前段ボリューム回路４２の出力に対して付与することができる。つまり後段ボリューム回路４４は、３［ｄＢ］のステップ幅（最後のみ２［ｄＢ］のステップ幅）で減衰量が可変な減衰を与えることができるようになっている。
【００１０】
したがって、この電子ボリュームによれば、前段スイッチ群４２２及び後段スイッチ群４４２を適切に制御することにより、前段ボリューム回路４２及び後段ボリューム回路４４の組合せによって、０［ｄＢ］から−８２［ｄＢ］まで、１［ｄＢ］のステップ幅で減衰量が可変な減衰を入力音声信号に対して付与することができる。
【先行技術文献】
【特許文献】
【００１１】
【特許文献１】実開平１−１４６６２３号公報
【特許文献２】特開平１１−１７７３７１号公報
【発明の概要】
【発明が解決しようとする課題】
【００１２】
しかしながら、上述従来の電子ボリュームによれば、ラダー抵抗による抵抗値を切り替えるためのスイッチ群として半導体製のアナログスイッチを用いているため、スイッチのオン抵抗に起因して、入力音声信号に対し、歪の発生やノイズの増大を生じさせるおそれがある。特に上述図３や図４のように、前段ボリューム回路及び後段ボリューム回路に分けた構成とし、これらを組み合わせてボリューム調整のための必要な調整ステップ数を得る場合には、音声信号が通過するアナログスイッチの数が増えて、アナログスイッチによる音声信号への影響が大きくなる。また、アナログスイッチの場合、電源電圧により決まるダイナミックレンジに関する制約もあるので、大きなレベルの音声信号が入力される場合に問題となる。このように、アナログスイッチによれば、音質的に不利になる要素が多い。
【００１３】
そこで、アナログスイッチの代替として、リレーなどのメカニカルスイッチを用いることも考えられる。しかし、アナログスイッチをそのままメカニカルスイッチに置き換えると、スイッチ群を構成するスイッチの数が多いので、コストが増大する。また、メカニカルスイッチは大きいので、スイッチ群を有するプリント基板の面積も膨大なものになる。このため、メカニカルスイッチを使用する場合、スイッチの数を抑え、少なくしなければならない。しかしそうすると、ボリューム調整における調整ステップ数が少なくなり、ステップ幅が粗くなるので、電子ボリュームの使い勝手を悪化させることになる。
【００１４】
本発明の目的は、かかる従来技術の問題点に鑑み、電子ボリュームにおいて、ラダー抵抗の抵抗値を切り替えるためのスイッチとしてアナログスイッチを使用することによる問題を支障なく解消することにある。
【課題を解決するための手段】
【００１５】
この目的を達成するため、第１の発明に係るボリューム装置は、第１のステップ幅で減衰量が可変な第１の減衰を付与する第１のボリューム回路と、第２のステップ幅で減衰量が可変な第２の減衰を付与する第２のボリューム回路とを備え、前記第１のボリューム回路は第１のラダー抵抗と、該第１のラダー抵抗の抵抗値を切り替えて前記第１の減衰を付与するための第１のスイッチ群とを備え、前記第２のボリューム回路は第２のラダー抵抗と、該第２のラダー抵抗の抵抗値を切り替えて前記第２の減衰を付与するための第２のスイッチ群とを備え、前記第２のボリューム回路は前記第１のボリューム回路よりも装置の出力側に設けられており、前記第１のスイッチ群はメカニカルスイッチにより構成されていることを特徴とする。
【００１６】
第２の発明に係るボリューム装置は、第１発明において、前記第２のステップ幅は前記第１のステップ幅よりも小さく、前記第１のステップ幅を補完するものであり、前記第２のスイッチ群はアナログスイッチにより構成されていることを特徴とする。
【００１７】
第３の発明に係るボリューム装置は、第１発明において、前記第１のステップ幅は前記第２のステップ幅よりも小さく、前記第２のステップ幅を補完するものであることを特徴とする。
【００１８】
第４の発明に係るボリューム装置は、第３発明において、前記第２のスイッチ群のうち、所定値よりも小さな減衰量を付与するためのスイッチはメカニカルスイッチであり、他のスイッチはアナログスイッチであることを特徴とする。
【発明の効果】
【００１９】
本発明によれば、ラダー抵抗の抵抗値を切り替えるためのスイッチとしてアナログスイッチを使用することによる問題を支障なく解消することができる。
【図面の簡単な説明】
【００２０】
【図１】本発明の一実施形態に係る電子ボリュームの構成を示す回路図である。
【図２】本発明の他の実施形態に係る電子ボリュームの構成を示す回路図である。
【図３】従来の電子ボリュームの一例を示す回路図である。
【図４】従来例に係る別の電子ボリュームの構成を示す回路図である。
【発明を実施するための形態】
【００２１】
図１は本発明の一実施形態に係る電子ボリュームの構成を示す回路図である。この電子ボリュームは、アンプなどにおいて用いられる。同図に示すように、この電子ボリュームは、入力端子１１に接続された前段ボリューム回路１２、出力端子１３に接続された後段ボリューム回路１４、並びに前段ボリューム回路１２及び後段ボリューム回路１４間に設けられたバッファアンプ１５を備える。
【００２２】
前段ボリューム回路１２は、入力端子１１及びグラウンド間に接続されたラダー抵抗１２１、並びにラダー抵抗１２１及びバッファアンプ１５間に設けられた前段スイッチ群１２２を備える。ラダー抵抗１２１は、直列に接続された９つの抵抗Ｒ１〜Ｒ９を備える。抵抗Ｒ１側が入力端子１１に接続され、抵抗Ｒ９側がグラウンドに接続される。前段スイッチ群１２２は、９つのメカニカルスイッチＳ１〜Ｓ９を備える。各メカニカルスイッチＳ１〜Ｓ９はそれぞれ、一端が各抵抗Ｒ１〜Ｒ９の入力端子１１側に接続され、他端がいずれもバッファアンプ１５の入力端子に接続される。メカニカルスイッチＳ１〜Ｓ９はリレーなどにより構成される。
【００２３】
制御信号によりメカニカルスイッチＳ１〜Ｓ９をそれぞれ単独でオン状態とすることによって、それぞれ０［ｄＢ］、−１０［ｄＢ］、・・・、−８０［ｄＢ］の減衰量を入力音声信号に対して付与することができる。つまり前段ボリューム回路１２は、１０［ｄＢ］のステップ幅で減衰量が可変な減衰を与えることができるようになっている。
【００２４】
後段ボリューム回路１４は、バッファアンプ１５の出力端子及びグラウンド間に接続されたラダー抵抗１４１、並びにラダー抵抗１４１及び出力端子１３間に設けられた後段スイッチ群１４２を備える。ラダー抵抗１４１は直列に接続された１０個の抵抗Ｒ１１〜Ｒ２０を備える。抵抗Ｒ１１側がバッファアンプ１５の出力側に接続され、抵抗Ｒ２０側がグラウンドに接続される。後段スイッチ群１４２は、１０個のアナログスイッチＳ１１〜Ｓ２０を備える。各アナログスイッチＳ１１〜Ｓ２０はそれぞれ一端が各抵抗Ｒ１１〜Ｒ２０のバッファアンプ１５側に接続され、他端はいずれも出力端子１３に接続される。アナログスイッチＳ１１〜Ｓ２０はＩＣ（集積回路）などにより構成される。
【００２５】
アナログスイッチＳ１１〜Ｓ２０は図示していない制御信号に基づいて動作する。制御信号によりアナログスイッチＳ１１〜Ｓ２０をそれぞれ単独でオン状態とすることによって、それぞれ０［ｄＢ］、−１［ｄＢ］、・・・、−９［ｄＢ］の減衰量を、バッファアンプ１５の出力に対して付与することができる。つまり後段ボリューム回路１４は、１［ｄＢ］のステップ幅で減衰量が可変な減衰を与えることができるようになっている。
【００２６】
入力信号に対して電子ボリュームが付与する減衰量は、前段ボリューム回路１２による減衰量及び後段ボリューム回路１４による減衰量を加算したものとなる。したがって、メカニカルスイッチＳ１〜Ｓ９及びアナログスイッチＳ１１〜Ｓ２０を適切に制御することによって、前段ボリューム回路１２での減衰量における１０［ｄＢ］の各ステップ幅を、後段ボリューム回路１４による１［ｄＢ］のステップ幅の減衰量で補完し、電子ボリューム全体として、０［ｄＢ］〜−８９［ｄＢ］まで、１［ｄＢ］のステップ幅で、減衰量を調整することができる。
【００２７】
この構成において、図示していないボリュームつまみが操作されると、操作量に応じた制御信号が生成され、電子ボリュームに供給される。制御信号は、メカニカルスイッチＳ１〜Ｓ９のうちの１つ及びアナログスイッチＳ１１〜Ｓ２０のうちの１つをオン状態とする情報を含む。この制御信号に基づき、メカニカルスイッチＳ１〜Ｓ９のうちの１つ及びアナログスイッチＳ１１〜Ｓ２０のうちの１つがオン状態になると、ラダー抵抗１２１及び１４１の抵抗値はそれぞれ、オン状態となったメカニカルスイッチＳ１〜Ｓ９のうちの１つ及びアナログスイッチＳ１１〜Ｓ２０のうちの１つに対応する抵抗値に切り替わり、これらの抵抗値による減衰量を加算した減衰量が入力音声信号に対して付与されるようになる。たとえば、制御信号に基づいて、メカニカルスイッチＳ３及びアナログスイッチＳ２０がオン状態となった場合、−２９［ｄＢ］（＝−２０［ｄＢ］−９［ｄＢ］）の減衰量が付与されるようになる。
【００２８】
その際、電子ボリュームに入力された音声信号が通過するアナログスイッチは、アナログスイッチＳ１１〜Ｓ２０のうちのいずいれか１つであるので、図３や図４の従来例の場合のように２つのアナログスイッチを通過する場合に比べ、音声信号に与えられる歪の悪化やノイズの増大といった悪影響は少ない。また、音声信号のレベルは、前段ボリューム回路１２により大きなステップ幅（１０［ｄＢ］）で減衰され、アンプ出力としての実用レベルの範囲内では、アナログスイッチＳ１１〜Ｓ２０に入力される信号のレベルは小さくなるので、アナログスイッチＳ１１〜Ｓ２０におけるダイナミックレンジの制約により音声信号に影響を与える場合は少ない。
【００２９】
以上のように本実施形態によれば、前段スイッチ群１２２をメカニカルスイッチによって構成するようにしたので、音声信号が通過するアナログスイッチの数を減らして、アナログスイッチにより音声信号に与える歪の悪化やノイズの増大などの悪影響を減少させることができる。また、前段ボリューム回路３２において音声信号のレベルは大きなステップ幅（１０［ｄＢ］）で減衰され、後段ボリューム回路１４のアナログスイッチＳ１１〜Ｓ２０を通過する音声信号のレベルが小さくなるので、アンプ出力における実用レベルの範囲内においては、アナログスイッチにおけるダイナミックレンジ上の制約が音声信号に影響を与えるのを防止することができる。また、前段ボリューム回路１２においては、減衰量のステップ幅は大きく（１０［ｄＢ］）、メカニカルスイッチの数は比較的少ないので、メカニカルスイッチとしてリレーなどを使用する場合でも、コストやプリント基板の面積の増大を抑制することができる。その際、電子ボリューム全体としての減衰量の切替えスッテプ数としても、図３の従来例の場合と同様のスッテプ数を容易に設定することができるので、ボリュームの使い勝手を悪化させることもない。
【００３０】
図２は本発明の他の実施形態に係る電子ボリュームの構成を示す回路図である。同図に示すようにこの電子ボリュームは、入力端子２１に接続された前段ボリューム回路２２、及び出力端子２３に接続された後段ボリューム回路２４を備える。
【００３１】
前段ボリューム回路２２は、入力端子２１及び後段ボリューム回路２４間に接続されたラダー抵抗２２１、及びラダー抵抗２２１による抵抗値を選択するための前段スイッチ群２２２を備える。ラダー抵抗２２１は入力端子２１に近いほうから抵抗Ｒ２１〜Ｒ２３の３つの抵抗を直列に接続して構成される。前段スイッチ群２２２は、各抵抗Ｒ２１〜Ｒ２３の入力端子２１側及び後段ボリューム回路２４間にそれぞれ接続された３つのメカニカルスイッチＳ２１〜Ｓ２３により構成される。メカニカルスイッチＳ２１〜Ｓ２３はリレーなどにより構成される。
【００３２】
メカニカルスイッチＳ２１〜Ｓ２３は図示していない制御信号に基づいて動作する。制御信号によりメカニカルスイッチＳ２１〜Ｓ２３をそれぞれ単独でオン状態とすることによって、それぞれ０［ｄＢ］、−１［ｄＢ］、及び−２［ｄＢ］の減衰量を入力音声信号に対して付与することができる。つまり前段ボリューム回路２２は、１［ｄＢ］のステップ幅で減衰量が可変な減衰を与えることができるようになっている。
【００３３】
後段ボリューム回路２４は、前段ボリューム回路２２の出力側及びグラウンド間に接続されたラダー抵抗２４１、ラダー抵抗２４１及び出力端子２３間に設けられた後段スイッチ群２４２を備える。ラダー抵抗２４１は直列に接続された２８個の抵抗Ｒ３１〜Ｒ５８を備える。抵抗Ｒ３１側が前段ボリューム回路２２に接続され、抵抗Ｒ５８側がグラウンドに接続される。各スイッチＳ３１〜Ｓ５８はそれぞれ一端が各抵抗Ｒ３１〜Ｒ５８の前段ボリューム回路２２側に接続され、他端はいずれも出力端子１３に接続される。スイッチＳ３１〜Ｓ３７はメカニカルスイッチである。スイッチＳ３８〜Ｓ５８はアナログスイッチである。メカニカルスイッチＳ３１〜Ｓ３７はリレーなどにより構成される。アナログスイッチＳ３８〜Ｓ５８はＩＣ（集積回路）などにより構成される。
【００３４】
スイッチＳ３１〜Ｓ５８は図示していない制御信号に基づいて動作する。制御信号によりスイッチＳ３１〜Ｓ５８をそれぞれ単独でオン状態とすることにより、それぞれ０［ｄＢ］、−３［ｄＢ］、・・・、−８１［ｄＢ］の減衰量を、前段ボリューム回路２２の出力に対して付与することができる。つまり後段ボリューム回路２４は、３［ｄＢ］のステップ幅で減衰量が可変な減衰を与えることができるようになっている。
【００３５】
入力信号に対して電子ボリュームが付与する減衰量は、前段ボリューム回路２２による減衰量及び後段ボリューム回路２４による減衰量を加算したものとなる。したがって、メカニカルスイッチＳ２１〜Ｓ２３、メカニカルスイッチＳ３１〜Ｓ３７、及びアナログスイッチＳ３８〜Ｓ５８を適切に制御することによって、後段ボリューム回路２４での減衰量における３［ｄＢ］の各ステップ幅を、前段ボリューム回路２２による１［ｄＢ］のステップ幅の減衰量で補完し、電子ボリューム全体としては、０［ｄＢ］〜８３［ｄＢ］まで、１［ｄＢ］のステップ幅で、減衰量を調整することができる。
【００３６】
この構成において、図示していないボリュームつまみが操作されると、操作量に応じた制御信号が生成され、電子ボリュームに供給される。制御信号は、メカニカルスイッチＳ２１〜Ｓ２３のうちの１つ及びスイッチＳ３１〜Ｓ５８のうちの１つをオン状態とする情報を含む。この制御信号に基づき、メカニカルスイッチＳ２１〜Ｓ２３のうちの１つ及びスイッチＳ３１〜Ｓ５８のうちの１つがオン状態になると、ラダー抵抗２２１及び２４１の抵抗値はそれぞれ、オン状態となったメカニカルスイッチＳ２１〜Ｓ２３のうちの１つ及びスイッチＳ３１〜Ｓ５８のうちの１つに対応する抵抗値に切り替わり、これらの抵抗値による減衰量を加算した減衰量が入力音声信号に対して付与されるようになる。たとえば、制御信号に基づいて、メカニカルスイッチＳ２３及びスイッチＳ３７がオン状態となった場合、付与される減衰量は、−２０［ｄＢ］（＝−２［ｄＢ］−１８［ｄＢ］）となる。
【００３７】
その際、アナログスイッチＳ３８〜Ｓ５８を音声信号が通過するとき、音声信号のレベルは小さいので、アナログスイッチＳ３８〜Ｓ５８におけるダイナミックレンジの制約が音声信号に影響を与えるおそれは少ない。また、電子ボリュームにおいて、音声信号はアナログスイッチをまったく通過しないか、又は通過する場合でもアナログスイッチＳ３８〜Ｓ５８のうちのいずれか１つのみであるため、アナログスイッチによる悪影響を受けることなく、クオリティが十分維持される。
【００３８】
以上のように本実施形態によれば、比較的小さい１［ｄＢ］のステップ幅で減衰量が可変な前段ボリューム回路２２及び比較的大きな３［ｄＢ］のステップ幅で減衰量が可変な後段ボリューム回路２４を直列に接続し、組み合わせて働かせることにより、所要の減衰量を付与する際に、前段スイッチ群２２２としてメカニカルスイッチを用いるとともに、後段スイッチ群２４２のうちの比較的小さい減衰量を付与するスイッチＳ３１〜Ｓ３７としてメカニカルスイッチを用い、比較的大きい減衰量を付与するスイッチＳ３８〜Ｓ５８としてアナログスイッチを用いるようにしたため、電子ボリュームにおいてアナログスイッチを通過する信号を小レベルの信号とし、アナログスイッチのダイナミックレンジに関する制約による音声信号への影響を回避することができる。また、音声信号が通過するアナログスイッチの数も図４の従来例に比べて減らすことができ、アナログスイッチに起因する歪の悪化やノイズの増大などの影響も減少させることができる。特に、減衰量の比較的小さい範囲では、音声信号はメカニカルスイッチのみを通過するので、アナログスイッチの影響を受けず、信号のクオリティーを十分保つことができる。また、小さい減衰量を与えるスイッチＳ２１〜Ｓ２３及びＳ３１〜Ｓ３７としてのみメカニカルスイッチを用いるようにしたため、コストや、電子ボリュームが設けられるプリント基板面積の増大を抑えることができる。その際、全体として付与可能な減衰量のステップ数として、図４のアナログスイッチのみで構成した場合と同程度のステップ数を有する電子ボリュームを比較的容易に構成することができる。
【００３９】
なお、本発明は上述実施形態に限定されることなく、適宜、変形して実施することができる。たとえば上述におけるラダー抵抗を構成する抵抗の数や、スイッチ群を構成するスイッチの数、ステップ幅は例示であり、上述の値に限定されることはない。また、上述においては前段ボリューム回路１２及び後段ボリューム回路１４間にバッファアンプ３５を設けているが、かかるバッファアンプを後段ボリューム回路１４の後段に追加したり、省略したりするようにしてもよい。
【符号の説明】
【００４０】
１１，２１，３１，４１：入力端子、１２，２２，３２，４２：前段ボリューム回路、１３，２３，３３，４３：出力端子、１４，２４，３４，４４：後段ボリューム回路、１５，３５：バッファアンプ、１２１，１４１，２２１，２４１，３２１，３４１，４２１，４４１：ラダー抵抗、１２２，２２２，３２２，４２２：前段スイッチ群，１４２，２４２，３４２，４４２：後段スイッチ群、Ｒ１〜Ｒ９，Ｒ１１〜Ｒ２０，Ｒ２１〜Ｒ２３，Ｒ３１〜Ｒ５８，Ｒ１０１〜Ｒ１０９，Ｒ２０１〜Ｒ２１０，Ｒ３０１〜Ｒ３０３，Ｒ４０１〜Ｒ４２８：抵抗、Ｓ１〜Ｓ９，Ｓ２１〜Ｓ２３，Ｓ３１〜Ｓ３７：メカニカルスイッチ、Ｓ１１〜Ｓ２０，Ｓ３８〜Ｓ５８，Ｓ１０１〜Ｓ１０９，Ｓ２０１〜Ｓ２１０，Ｓ３０１〜Ｓ３０３，Ｓ４０１〜Ｓ４２８：アナログスイッチ。
【図１】
2010212907.tif 000003
【図２】
2010212907.tif 000004
【図３】
2010212907.tif 000005
【図４】
2010212907.tif 000006